(57)【要約】【課題】プラズマディスプレイパネルの初期起動時に低レベル放電を除去することができる初期起動方法を提供する。【解決手段】本発明はプラズマディスプレイパネルの初期起動方法及びプラズマ表示装置に関する。本発明によるプラズマディスプレイパネルの初期起動方法は、プラズマディスプレイパネルの電源がオンの時に第１電極の電圧を第１電圧から第２電圧まで上昇させ、前記第２電極に第３電圧が印加される間に前記第１電極の電圧を第４電圧から第５電圧まで下降させて全セルに壁電荷を形成させる。その後、第１電極と第２電極との間の電圧差が交互に第６電圧及び前記第６電圧の負の電圧になるように前記第１電極と前記第２電極に電圧を印加して前記全セルを放電させる。このようにすれば、プラズマディスプレイパネルの初期起動時に低レベル放電を除去することができる効果がある。【選択図】図６
2005301278.tif 000002
【特許請求の範囲】
【請求項１】
第１電極、第２電極によって放電セルが形成されるプラズマディスプレイパネルの電源がオンする時に操作される初期起動方法において、
ａ）前記第１電極の電圧を第１電圧から第２電圧まで上昇させ、前記第２電極に第３電圧が印加される間に前記第１電極の電圧を第４電圧から第５電圧まで下降させて前記放電セルに壁電荷を形成する段階、
ｂ）前記放電セルの第１電極と第２電極との間の電圧差が、交互に第６電圧または前記第６電圧の値で極性が負の電圧になるように前記第１電極と前記第２電極に電圧を印加して前記放電セルを放電させる段階、
を含む、プラズマディスプレイパネルの初期起動方法。
【請求項２】
入力される画像信号によってプラズマディスプレイパネルを駆動する場合に、サブフィールドはリセット期間、アドレス期間及び維持期間を含み、
前記リセット期間は、前記第２電極に第７電圧を印加し、前記第１電極の電圧を第８電圧から第９電圧まで下降させる段階を含み、
前記第３電圧と前記第５電圧の差は、前記第７電圧と前記第９電圧の差より大きい、請求項１に記載のプラズマディスプレイパネルの初期起動方法。
【請求項３】
前記第３電圧は前記第７電圧より大きい、請求項２に記載のプラズマディスプレイパネルの初期起動方法。
【請求項４】
前記第５電圧は前記第９電圧より小さい、請求項２に記載のプラズマディスプレイパネルの初期起動方法。
【請求項５】
前記第３電圧は、前記第１電極と第２電極との間の電圧差を前記第６電圧とするために前記第２電極に印加される電圧と同一である、請求項２に記載のプラズマディスプレイパネルの初期起動方法。
【請求項６】
前記維持期間において、前記第１電極と前記第２電極との間の電圧差が交互に前記第６電圧または前記第６電圧の値で極性が負の電圧になるように前記第１電極と前記第２電極に電圧を印加する、請求項２に記載のプラズマディスプレイパネルの初期起動方法。
【請求項７】
第１電極、第２電極の間に放電セルが形成されるプラズマディスプレイパネルを備え、
リセット期間、アドレス期間及び維持期間の間に前記第１電極及び第２電極に駆動電圧を印加する駆動回路を含み、
前記駆動回路は、前記プラズマディスプレイパネルの電源がオンする時、前記第２電極に第１電圧を印加し、前記第１電極の電圧を第２電圧から第３電圧まで下降させた後、前記第１電極と前記第２電極に交互に第４電圧を印加するプラズマ表示装置。
【請求項８】
前記リセット期間は、前記第２電極に第５電圧を印加し、前記第１電極の電圧を第６電圧から第７電圧まで下降させ、
前記第１電圧と前記第３電圧の差は、前記第５電圧と前記第７電圧の差より大きい、請求項７に記載のプラズマ表示装置。
【請求項９】
前記第４電圧は、前記維持期間で前記第１電極に印加される維持放電電圧と同一である、請求項７或いは８に記載のプラズマ表示装置。
【発明の詳細な説明】
【技術分野】
【０００１】
本発明はプラズマディスプレイパネル（ＰＤＰ）の初期起動方法に関する。
【背景技術】
【０００２】
プラズマディスプレイパネルは気体放電によって生成されたプラズマを利用して文字または映像を表示する平面表示装置であって、その大きさによって数十から数百万個以上の画素がマトリックス形態で配列されている。このようなプラズマ表示パネルは印加される駆動電圧波形の形態と放電セルの構造によって直流形と交流形に区分される。
【０００３】
直流形プラズマ表示パネルは電極が放電空間にそのまま露出されていて電圧が印加される間に電流が放電空間にそのまま流れため、電流制限のための抵抗を作らなければならない短所がある。これに反し、交流形プラズマ表示パネルでは電極を誘電体層が覆っていて自然なキャパシタンス成分の形成で電流が制限され、放電時イオンの衝撃から電極が保護されるので直流形に比べて寿命が永いという長所がある。
【０００４】
このような交流形プラズマ表示パネルにはその一面に互いに平行な走査電極及び維持電極が形成され、他の面にこれら電極と直交する方向にアドレス電極が形成される。そして維持電極は各走査電極に対応して形成され、その一端が互いに共通に連結されている。
【０００５】
図１は一般的な交流形プラズマディスプレイパネルの一部斜視図である。
【０００６】
図１に示したように、プラズマディスプレイパネルは互いに対向して離れている二つのガラス基板１、６を含む。ガラス基板１上には走査電極４と維持電極５が対をなして平行に形成されており、走査電極４と維持電極５は誘電体層２及び保護膜３で覆われている。  ガラス基板６上には複数のアドレス電極８が形成されており、アドレス電極８は絶縁体層７で覆われている。アドレス電極８の間にある絶縁体層７上にはアドレス電極８と隔壁９が形成されている。また、絶縁体層７の表面及び隔壁９の両側面に蛍光体１０が形成されている。ガラス基板１、６は走査電極４とアドレス電極８及び維持電極５とアドレス電極８が直交するように放電空間１１を間に置いて対向して配置されている。アドレス電極８と、対をなす走査電極４と維持電極５との交差部にある放電空間１１が放電セル１２を形成する。
【０００７】
図２はプラズマ表示パネルの電極配列図を示す。
【０００８】
図２に示したように、プラズマ表示パネルの電極はｎ×ｍのマトリックス形態を有しており、具体的に列方向にはアドレス電極Ａ１〜Ａｍが伸びていて、行方向には走査電極Ｙ１〜Ｙｎ及び維持電極Ｘ１〜Ｘｎが伸びている。図２に示された放電セル１２は図１に示された放電セル１２に対応する。
【０００９】
一般にこのような交流形プラズマディスプレイパネルは１フレームが複数のサブフィールドに分けられて駆動され、サブフィールドの組み合わせによって階調が表現される。
【００１０】
そして交流形プラズマディスプレイパネルの駆動方法を時間的な動作変化で表現すれば、各サブフィールドはリセット期間、アドレス期間、維持期間からなる。
【００１１】
リセット期間は直前の維持放電で形成された壁電荷を消去し、次のアドレス放電を安定的に行うために壁電荷を初期化する期間であり、アドレス期間はパネルで点灯されるセルと点灯されないセルを選択して点灯されるセル（アドレシングされたセル）に壁電荷を積む動作を行う期間である。そして維持期間はアドレシングされたセルに実際に画像を表示するための維持放電を行う期間である。
【００１２】
一方、リセット期間は初期化対象となるセルに対して放電が発生するように各電極間に十分に高い電圧を印加するが、全セルの壁電荷状態を均一に制御するために弱放電が発生するように電圧を印加する。そしてリセット期間はアドレス期間がなければ維持期間で放電が発生しないように壁電荷を制御する。
【００１３】
しかし、パネル内電極に電圧を印加しないオフ状態から電源をオンする場合または電源をオフしてセル内の壁電荷状態がよく定義されていない状態で再び電源をオンする場合は、パネルの初期起動（パワーオン）時に数秒程度は低レベル放電をすることがある。
【００１４】
また、明暗比や回路費用節減などの理由でリセット期間に印加する電圧の大きさを小さくした場合、初期起動時に瞬間的に低レベル放電をすることもある。
【００１５】
プラズマディスプレイパネルにおける低レベル放電は、放電が正常に維持されないことを意味する。このような低レベル放電はセル内のプライミング粒子の不足やリセット期間によって制御できない壁電荷構造などによって、アドレス期間でのアドレス放電がよく行われないために発生する。
【００１６】
アドレス放電は、スキャンパルスとアドレスパルスが同時に印加される２〜３μｓ内外の短い電圧印加の瞬間に放電が形成されなければならない。しかし、セル内にプライミング粒子が不足する場合には放電が容易に形成されない。このような理由で長時間オフ状態を維持したパネルの初期起動時に、長い場合には数秒間も継続する低レベル放電をする確率が高い。そして電源オフ時に壁電荷状態が予測不可能になった後、直ちに再起動しても、パネルオフ時に形成された壁電荷状態を、リセット期間に初期化することができないため低レベル放電が発生する。
【００１７】
このような低レベル放電を除去するために、従来は、非常に高い電圧を交互に印加する初期起動波形を使用した。しかし、このような初期起動波形により初期放電を行う場合、過度に強い放電が発生して回路にストレスを与えたり、そのための電源及び回路を備える費用が上昇する問題点がある。
【発明の開示】
【発明が解決しようとする課題】
【００１８】
本発明が目的とする技術的課題はこのような従来の問題点を解決するためのものであって、プラズマディスプレイパネルの初期起動時に低レベル放電を除去できる初期起動方法を提供することである。
【課題を解決するための手段】
【００１９】
このような課題を解決するために本発明の一つの特徴によると、第１電極、第２電極によって放電セルが形成されるプラズマディスプレイパネルの電源がオンする時に操作される初期起動方法が提供される。この駆動方法はａ）前記第１電極の電圧を第１電圧から第２電圧まで上昇させ、前記第２電極に第３電圧が印加される間に前記第１電極の電圧を第４電圧から第５電圧まで下降させて前記放電セルに壁電荷を形成する段階；及びｂ）前記放電セルの第１電極と第２電極との間の電圧差が交互に第６電圧または前記第６電圧の値で極性が負の電圧になるように前記第１電極と前記第２電極に電圧を印加して前記放電セルを放電させる段階を含む。
【００２０】
そして、入力される画像信号によってプラズマディスプレイパネルを駆動する場合に、サブフィールドはリセット期間、アドレス期間及び維持期間を含み、前記リセット期間は、前記第２電極に第７電圧を印加し、前記第１電極の電圧を第８電圧から第９電圧まで下降させる段階を含み、前記第３電圧と前記第５電圧の差は前記第７電圧と前記第９電圧の差より大きくする。この時、前記第３電圧は前記第７電圧より大きくすることができ、前記第５電圧は前記第９電圧より小さくすることもできる。そして前記第３電圧は、前記第１電極と第２電極との間の電圧差を前記第６電圧にするために前記第２電極に印加される電圧と同一にするすることもできる。
【００２１】
そして本発明の他の特徴によると、第１電極、第２電極の間に放電セルが形成されるプラズマディスプレイパネル、そしてリセット期間、アドレス期間及び維持期間の間に前記第１電極及び第２電極に駆動電圧を印加する駆動回路を含み、前記駆動回路は前記プラズマディスプレイパネルの電源をオンにする時、前記第２電極に第１電圧を印加し、前記第１電極の電圧を第２電圧から第３電圧まで下降させた後、前記第１電極と前記第２電極に交互に第４電圧を印加する。この時、前記第４電圧は、前記維持期間で前記第１電極に印加される維持放電電圧と同一であり得る。
【発明の効果】
【００２２】
本発明によれば、リセット期間で急激な電圧変動を防止して電流ピーク、素子ストレス、ＥＭＩ及びノイズを減少させて回路動作の安定性及び信頼性を向上させることができる。
【発明を実施するための最良の形態】
【００２３】
以下、添付した図面を参照して本発明の実施例について本発明の属する技術分野における通常の知識を有する者が容易に実施することができるように詳細に説明する。しかし、本発明は多様で相異なる形態で実現することができ、ここで説明する実施例に限定されない。図面で本発明を明確に説明するために説明と関係ない部分は省略した。明細書全体にわたって類似な部分については同一な図面符号を付けた。
【００２４】
図３は本発明の実施例によるプラズマディスプレイパネルを示す図面である。
【００２５】
図３に示したように、本発明の実施例によるプラズマディスプレイパネルはプラズマパネル１００、制御部２００、アドレス電極駆動部３００、維持電極駆動部４００及び走査電極駆動部５００を含む。
【００２６】
プラズマパネル１００は列方向に長く配列されている複数のアドレス電極Ａ１〜Ａｍ、行方向に長く配列されている複数の維持電極Ｘ１〜Ｘｎ及び走査電極Ｙ１〜Ｙｎを含む。
【００２７】
制御部２００は外部から映像信号を受信してアドレス駆動制御信号、維持電極Ｘ駆動制御信号及び走査電極Ｙ駆動制御信号を出力する。
【００２８】
アドレス電極駆動部３００は制御部２００からアドレス駆動制御信号を受信して表示しようとする放電セルを選択するための表示データ信号を各アドレス電極に印加する。
【００２９】
維持電極駆動部４００は制御部２００から維持電極Ｘ駆動制御信号を受信して維持電極Ｘに駆動電圧を印加する。
【００３０】
走査電極駆動部５００は制御部２００から走査電極Ｙ駆動制御信号を受信して走査電極Ｙに駆動電圧を印加する。
【００３１】
図４は本発明の第１実施例によるプラズマディスプレイパネルの駆動波形図である。
【００３２】
図４に示したようなプラズマディスプレイパネルの駆動波形は、一般的に、一つのフレーム期間を複数のサブフィールド期間に分け、更に、各サブフィールドをリセット期間Ｐｒ、アドレス期間Ｐａ及び維持期間Ｐｓに分ける。そしてリセット期間は、上昇ランプ期間Ｐｒ１及び下降ランプ期間Ｐｒ２に分けられる。
【００３３】
リセット期間Ｐｒの上昇ランプ期間Ｐｒ１は走査電極Ｙ、維持電極Ｘ及びアドレス電極Ａに壁電荷を形成する期間であり、下降ランプ期間Ｐｒ２は上昇ランプ期間Ｐｒ２で形成された壁電荷を一部消去してアドレス放電を容易にする期間である。そしてアドレス期間Ｐａは複数の放電セルの中で維持期間で維持放電を起こす放電セルを選択する期間であり、維持期間Ｐｓは走査電極Ｙと維持電極Ｘに順次に維持パルスを印加してアドレス期間Ｐａより選択された放電セルを維持放電させる期間である。
【００３４】
そしてプラズマディスプレイパネルには各期間Ｐｒ、Ｐａ、Ｐｓで走査電極Ｙ及び維持電極Ｘに駆動電圧を印加する走査／維持駆動回路、そしてアドレス電極Ａに駆動電圧を印加するアドレス駆動回路が連結されて一つの表示装置を構成する。
【００３５】
図４に示すように、リセット期間Ｐｒの上昇ランプ期間Ｐｒ１ではアドレス電極Ａ及び維持電極Ｘを零ボルトに維持し、走査電極ＹにＶｓ電圧からＶｓｅｔ電圧までなだらかに上昇するランプ電圧を印加する。このランプ電圧が上昇する間に全ての放電セルでは走査電極Ｙからアドレス電極Ａ及び維持電極Ｘに各々微弱なリセット放電が起こる。その結果、走査電極Ｙの絶縁層上に（−）壁電荷が形成され、同時にアドレス電極Ａ及び維持電極Ｘの絶縁層上には（＋）壁電荷が形成される。
【００３６】
ここで、壁電荷とは各電極を覆う絶縁性の壁（例えば、誘電体層）に形成されて蓄積される電荷のことを言う。このような壁電荷は、実際に電極自体に蓄積されることはないが、以下では、壁電荷が電極に“形成される”、“蓄積される”または“積まれる”のように説明される。また、壁電圧とは壁電荷によって、放電セルの電極と壁表面との間に形成される電位差のことを言う。
【００３７】
リセット期間Ｐｒの下降ランプ期間Ｐｒ２では、維持電極Ｘを正の一定電圧Ｖｅに維持した状態で、走査電極Ｙには、正のＶｓ電圧から負のＶｓｃ電圧に向かってなだらかに下降するランプ電圧を印加する。そして放電セルにおける放電開示電圧をＶｆ電圧とした時、このランプ電圧が下降する間に走査電極Ｘとアドレス電極Ｙに各々負の電荷と正の電荷が積まれていて、一定量の壁電圧が形成されていれば、全ての放電セルにおいて、走査電極Ｙに印加される電圧がなだらかに正から負に向かって変化する間に、走査電極Ｙ及び維持電極Ｘに印加された電圧と壁電圧との差が放電開示電圧Ｖｆを超える場合に再び全ての放電セルでは微弱なリセット放電が発生して壁電荷が消去される。一般にＶｅ−Ｖｓｃ電圧を維持電極Ｘと走査電極Ｙとの間の放電開示電圧まで印加して維持電極Ｘと走査電極Ｙとの間の壁電圧をほとんど零ボルトに設定する。
【００３８】
そしてアドレス期間Ｐａでは、維持電極Ｘと異なる走査電極Ｙを各々Ｖｅ電圧とＶｓｃｈ電圧に維持した状態で走査電極Ｙに順次にＶｓｃ電圧を印加して走査電極Ｙを選択する。そして負のＶｓｃ電圧が印加された走査電極Ｙによって形成される放電セルのうちの選択しようとする放電セルを形成するアドレス電極Ａにアドレス電圧Ｖａを印加する。その結果、アドレス電極Ａに印加された電圧Ｖａと走査電極Ｙに印加された電圧Ｖｓｃの差及びアドレス電極Ａ及び走査電極Ｙに形成された壁電荷による壁電圧によってアドレス電極Ａと走査電極Ｙとの間及び維持電極Ｘと走査電極Ｙとの間でアドレス放電が起こる。その結果、走査電極Ｙには（＋）壁電荷が形成され、維持電極Ｘには（−）壁電荷が形成される。
【００３９】
次に、維持期間Ｐｓでは走査電極Ｙと維持電極Ｘに順次に維持パルスが印加される。維持パルスは走査電極Ｙと維持電極Ｘの電圧差が交互にＶｓ電圧及び−Ｖｓ電圧になるようにするパルスである。Ｖｓ電圧は走査電極Ｙと維持電極Ｘとの間の放電開示電圧より低い電圧である。アドレス期間Ｐａでアドレス放電によって走査電極Ｙと維持電極Ｘとの間に壁電圧が形成されていれば、壁電圧とＶｓ電圧によって走査電極Ｙと維持電極Ｘで放電が起こる。
【００４０】
一方、図４では一つのフレームを形成する複数のサブフィールドのうちの第１サブフィールドには主リセット期間Ｐｒ＿ｍａｉｎが形成されており、その後のサブフィールドには副リセット期間Ｐｒ＿ｓｕｂが形成されている。
【００４１】
第１サブフィールドのリセット期間である主リセット期間Ｐｒ＿ｍａｉｎでは上昇ランプ波形が印加された後、下降ランプ波形が印加される。そして２番目以後のサブフィールドリセット期間である副リセット期間Ｐｒ＿ｓｕｂでは下降ランプ波形のみが印加される。
【００４２】
一般にリセット期間で放電セルに多量の壁電荷を形成するために前述のように走査電極Ｙに上昇ランプ波形を印加する。しかし、２番目以降のサブフィールドでは直前サブフィールドの維持期間で発光した放電セルには維持放電によって既に多量の壁電荷が形成されているので、リセット期間で壁電荷を形成する必要がない。また、維持期間で発光しない放電セルにはリセット期間で形成された壁電荷状態が変更されなかったために、次のサブフィールドでは再びリセット動作を行わなくてもよい。そしてこの状態で走査電極Ｙに下降ランプ波形のみ印加すれば放電が起こらないので放電セルはリセットされた状態を維持する。そして図４では１フレームを基準にして第１サブフィールドにのみ主リセット期間Ｐｒ＿ｍａｉｎを置いたが、これとは異なって他のサブフィールドにも主リセット期間Ｐｒ＿ｍａｉｎを置くことができる。
【００４３】
本発明の実施例では図４のような駆動波形になるように駆動させるためにプラズマディスプレイパネルのパワーをオンする時に発生する可能性がある低レベル放電を除去できる初期起動波形を挿入する。
【００４４】
以下、図５を参照して本発明の実施例によるプラズマディスプレイパネルの初期起動波形について詳細に説明する。
【００４５】
図５は本発明の実施例によるプラズマディスプレイパネルの初期起動波形を示した図面である。
【００４６】
図５に示したように、本発明の実施例によるプラズマディスプレイパネルの初期起動波形は全セル壁電荷形成期間Ｐｒｒ及び全セル放電期間Ｐｓｓを含む。
【００４７】
全セル壁電荷形成期間Ｐｒｒは維持期間で維持放電を起こす放全セルを選択するアドレス期間がなくても全セル放電期間Ｐｓｓで維持パルス印加によって全セルに放電が発生できるように壁電荷を形成する期間であり、全セル放電期間Ｐｓｓは走査電極Ｙと維持電極Ｘに順次に維持パルスを印加して全セルを放電させる期間である。
【００４８】
全セル壁電荷形成期間Ｐｒｒは電圧上昇期間及び電圧下降期間を含む。
【００４９】
全セル壁電荷形成期間Ｐｒｒの電圧上昇期間Ｐｒｒ１は図４のリセット期間Ｐｒの上昇ランプ期間Ｐｒ１におけるようにアドレス電極Ａ及び維持電極Ｘを零ボルトに維持し、走査電極ＹにＶｓ電圧からＶｓｅｔ電圧までなだらかに上昇するランプ電圧を印加する。このランプ電圧が上昇する間に全ての放全セルでは走査電極Ｙからアドレス電極Ａ及び維持電極Ｘに各々微弱なリセット放電が起こる。その結果、走査電極Ｙに（−）壁電荷が形成され、同時に維持電極Ｘには（＋）壁電荷が形成される。
【００５０】
そして全セル壁電荷形成期間Ｐｒｒの電圧下降期間Ｐｒｒ２は維持電極Ｘを一定電圧であるＶｅより高い電圧Ｖｂに維持した状態で、走査電極ＹにＶｓ電圧からＶｓｃ電圧に向かってなだらかに下降するランプ電圧を印加する。
【００５１】
［数式１］
│Ｖｂ−Ｖｓｃ│＞│Ｖｅ−Ｖｓｃ│
つまり、全セル壁電荷形成期間Ｐｒｒの電圧下降期間Ｐｒｒ２では数式１のように走査電極Ｙと維持電極Ｘとの間の最終印加電圧の大きさが図４の下降ランプ期間での走査電極Ｙと維持電極Ｘとの間の最終印加電圧の大きさより大きい。一般に走査電極に印加される電圧がなだらかに減少する途中に全セル壁電荷形成期間Ｐｒｒにおいて形成された壁電圧と走査電極Ｙと維持電極Ｘに印加された電圧差が放電開示電圧を超える場合には放電が起こり、走査電極Ｙと維持電極Ｘに印加された電圧差が維持電極Ｘと走査電極Ｙとの間で放電を起こすことがある放電開示電圧−Ｖｆまで減少すれば維持電極Ｘと走査電極Ｙとの間の壁電圧はほとんど零ボルトとなる。
【００５２】
次に、走査電極Ｙと維持電極Ｘに印加された電圧差が−Ｖｆ電圧以下になれば、走査電極Ｙは（＋）壁電荷が形成され、同時にアドレス電極Ａ及び維持電極Ｘには（−）壁電荷が形成されて壁電圧が高くなる。結局、前述した図４の駆動波形を有するアドレス期間でのアドレス放電と同一な役割を果たす。この時、Ｖｂは｜Ｖｂ−Ｖｓｃ｜の大きさが全セル壁電荷形成期間以後に維持パルスを印加しても放電が起こる程度の大きさとする。
【００５３】
そして全セル放電期間Ｐｓｓでは図４の駆動波形でのように走査電極Ｙと維持電極Ｘに順次に維持パルスが印加される。この時、全ての放電セルは全セル壁電荷形成期間Ｐｒｒで蓄積された壁電荷による壁電圧と維持パルスによるＶｓ電圧によって走査電極Ｙと維持電極Ｘで放電が起こる。この放電過程で全てのセル内に十分な放電プライミングが供給され、同時に全セルの壁電荷状態が制御可能な領域に存在するようになって初期低レベル放電現象が除去できる。
【００５４】
そして本発明の第１実施例では電圧下降期間Ｐｒｒ２の最終印加電圧｜Ｖｂ−Ｖｓｃ｜の大きさを放電開示電圧より大きくするために維持電極ＸにＶｅ電圧より高いＶｂ電圧を印加したが、これはＶｂ電圧を供給する別途の電源が追加されなければならない。したがって、Ｖｂ電圧の代りにＶｓ電圧を印加することもできる。このようにすれば、別途の電源を追加する必要はない。
【００５５】
そして本発明の第１実施例では維持電極Ｘに印加された電圧下降期間Ｐｒｒ２の電圧を変更して低レベル放電を除去したが、これと異なるようにすることもできる。このような実施例について図６を参照して詳細に説明する。
【００５６】
図６は本発明の第２実施例によるプラズマディスプレイパネルの初期起動波形を示した図面である。
【００５７】
図６に示すように、本発明の第２実施例によるプラズマディスプレイパネルの初期起動波形で全セル壁電荷形成期間Ｐｒｒの電圧下降期間Ｐｒｒ２では図５の電圧下降期間Ｐｒｒ２に印加されたＶｓｃ電圧よりさらに低いＶｎｆ電圧に向かってなだらかに下降するランプ電圧を印加する。  
［数式２］
│Ｖｂ−Ｖｎｆ│＞│Ｖｂ−Ｖｓｃ│＞│Ｖｅ−Ｖｓｃ│
つまり、電圧下降期間Ｐｒｒ２では数式２のように走査電極Ｙと維持電極Ｘの間の最終印加電圧の大きさが図５の電圧下降期間Ｐｒｒ２におけるより大きい。このようにすれば、図５におけるより更に多くの壁電荷が形成される。つまり、走査電極Ｙと維持電極Ｘに蓄積された壁電荷の消去される量が図５の駆動波形におけるより減少して直ちに維持パルスを印加しても放電が起こるようになる。
【００５８】
そして本発明の第２実施例とは異なって、維持電極ＸにＶｅ電圧を印加し、走査電極ＹにＶｎｆ電圧を印加することもできる。
【００５９】
そして本発明の実施例によるプラズマディスプレイパネルの初期起動波形はパネルの電源オン時にのみ印加されるので、多様なシークエンスで構成することができる。全セル壁電荷形成期間を１回以上繰り返した後、全セル放電期間を数回以上繰り返すことができる。  そしてこれとは異なって全セル壁電荷形成期間後、全セル放電期間を数回以上繰り返し、全体を再び数回以上繰り返すこともできる。このようにすれば、初期起動動作のための電源や回路を別途に備えなくても放電開示電圧より小さい維持パルスの交互印加によって安定な初期起動動作を行うことができる。
【００６０】
そして本発明の第１及び第２実施例では走査電極Ｙの電圧をランプ形態でなだらかに下降させたが、これとは異なって階段波形態で変更することもでき、パルス印加とフローティングの交替操作、または抵抗と静電容量による時定数設定を利用した時間によって変わる波形を印加することもできる。
【００６１】
以上、本発明の好ましい実施例について詳細に説明したが、本発明の権利範囲はこれに限定されず、請求範囲で定義している本発明の基本概念を利用した当業者の多様な変形及び改良形態もまた本発明の権利範囲に属する。
【図面の簡単な説明】
【００６２】
【図１】交流形プラズマディスプレイパネルの概略的な一部斜視図である。
【図２】プラズマディスプレイパネルの電極配列図である。
【図３】本発明の実施例によるプラズマディスプレイパネルを示す図面である。
【図４】本発明の実施例によるプラズマディスプレイパネルの駆動波形図である。
【図５】本発明の第１実施例によるプラズマディスプレイパネルの初期起動波形を示した図面である。
【図６】本発明の第２実施例によるプラズマディスプレイパネルの初期起動波形を示した図面である。
【符号の説明】
【００６３】
１００  プラズマパネル
２００  制御部
３００  アドレス電極駆動部
４００  維持電極駆動部
５００  走査電極駆動部
Ａ１〜Ａｍ  アドレス電極
Ｘ１〜Ｘｎ  維持電極
Ｙ１〜Ｙｎ  走査電極
Ｐａ  アドレス期間
Ｐｒ  リセット期間
Ｐｒ１  上昇ランプ期間
Ｐｒ２  下降ランプ期間
Ｐｒｒ  全セル壁電荷形成期間
Ｐｒｒ２  電圧下降期間
Ｐｒ＿ｍａｉｎ  主リセット期間
Ｐｒ＿ｓｕｂ  副リセット期間
Ｐｓ  維持期間
Ｐｓｓ  全セル放電期間
Ｖａ  アドレス電極に印加された電圧
Ｖｓｃ  走査電極に印加された電圧
【図１】
2005301278.tif 000003
【図２】
2005301278.tif 000004
【図３】
2005301278.tif 000005
【図４】
2005301278.tif 000006
【図５】
2005301278.tif 000007
【図６】
2005301278.tif 000008